(57)【要約】【課題】ハウジング内の走査レンズのレイアウトを容易にし、ハウジングの強度を高く保つ光走査装置を得る。【解決手段】複数の光源から出射された光束を後続の光学系にカップリングするカップリング光学系と、カップリング光学系からの光束を線像に変える線像光学系と、共通の回転軸を中心に偏光反射面が回転することによって線像光学系から出射した複数の光束を偏向する偏向手段１と、偏向手段１により偏向された複数の光束を異なる被走査面上に導く複数の走査光学系と、を有し、走査光学系は２枚以上の走査レンズ５０〜５７により構成され、走査レンズの少なくとも２枚はそれぞれ少なくとも１面の副走査方向の曲率が光軸から主走査方向の両周辺に向かうに従い非対称的に変化し、上記少なくとも２枚の走査レンズはそれぞれ副走査方向の位置決め基準５１，６１を両側に有している。【選択図】図１
2006154097.tif 000002
【特許請求の範囲】
【請求項１】
複数の光源と、
この複数の光源から出射された光束を後続の光学系にカップリングするカップリング光学系と、
このカップリング光学系からの光束を主走査方向に長い線像に変える線像光学系と、
共通の回転軸を中心に回転する偏向反射面を有しこの偏光反射面が回転することによって上記線像光学系から出射した複数の光束を偏向する偏向手段と、
この偏向手段により偏向された複数の光束を異なる被走査面上に導く複数の走査光学系と、を有し、
上記各走査光学系は２枚以上の走査レンズにより構成され、
上記走査レンズの少なくとも２枚はそれぞれ少なくとも１面の副走査方向の曲率が光軸から主走査方向の両周辺に向かうに従い非対称的に変化しており、
上記少なくとも２枚の走査レンズはそれぞれ副走査方向の位置決め基準を両側に有していることを特徴とする光走査装置。
【請求項２】
請求項１記載の光走査装置において、偏向手段に向かい、互いに異なる被走査面に導かれる複数の光束は、偏向手段の偏向回転面内において開き角を有し、異なる被走査面に対応する走査レンズのうち少なくとも１枚の走査レンズは、他の走査レンズとの関係において光軸に対し互いに１８０度反転して配備されていることを特徴とする光走査装置。
【請求項３】
請求項１または２記載の光走査装置において、偏向手段に近い方の走査レンズは副走査方向の両側に基準面を有し、この両側の基準面は、光軸からの距離が互いに異なることを特徴とする光走査装置。
【請求項４】
請求項３記載の光走査装置において、偏向手段に近い方の走査レンズであって互いに異なる被走査面に対応する走査レンズは、副走査方向に重ねて配置されていることを特徴とする光走査装置。
【請求項５】
請求項４記載の光走査装置において、偏向手段に近い方の走査レンズであって互いに異なる被走査面に対応する走査レンズは、副走査方向に重ねて接着固定されていることを特徴とする光走査装置。
【請求項６】
請求項３記載の光走査装置において、偏向手段に近い方の走査レンズの副走査方向の一方の基準面は凸状であることを特徴とする光走査装置。
【請求項７】
請求項６記載の光走査装置において、偏向手段に近い方の走査レンズの副走査方向の一方の基準面は複数の突起から作られる面であることを特徴とする光走査装置。
【請求項８】
電子写真プロセスを実行することによって画像を形成する画像形成装置であって、電子写真プロセス中の露光プロセスを実行する装置として請求項１乃至７のいずれかに記載の光走査装置を用いた画像形成装置。
【発明の詳細な説明】
【技術分野】
【０００１】
本発明は、カラーレーザプリンタ、カラーデジタル複写機、ファクシミリ等に用いることができる光走査装置および画像形成装置に関するものである。
【背景技術】
【０００２】
近年、カラーデジタル複写機、カラーレーザプリンタなどのカラー画像形成装置において、画像形成速度を高めるために、複数の被走査面にそれぞれ異なる色の画像を形成し、これらの画像を転写媒体上に順次転写することによってカラー画像を形成する、いわゆるタンデム型カラー画像形成装置が広く知られるようになってきている。
さらに、タンデム型カラー画像形成装置においても、構成の単純化、小型化を図るために、単一の光偏向器を挟んで、左右両側にそれぞれ２つずつ合計４つの走査光学系を配置してなる光走査装置が提案されている（例えば、特許文献１参照）。合計４つの光走査装置は、それぞれに対応して被走査面を有している。被走査面は感光体の表面であり、各感光体の表面に上記の各光走査装置により光走査を行って画像を形成する。
【０００３】
また、レーザプリンタ、デジタル複写装置などの画像形成装置の高画質化、高密度化が求められ、それに対応できるように、光走査装置に用いられる走査レンズの形状が非球面化してきており、光軸に対して主走査方向に非対称な形状の走査レンズも提案されている。
【０００４】
しかしながら、共通の偏向器を中心にして左右両側に各色に対応する走査光学系を配置してなる光走査装置において、主走査方向に非対称な形状の走査レンズを用いると、走査レンズの副走査方向の基準面が下面または上面のいずれか一方にしかない場合、光走査装置を収納するハウジング内での上記走査レンズを含む光学素子のレイアウトが複雑になり、ハウジングの強度も低下するという問題が生じる。
【０００５】
図５に従来の光走査装置の例を示す。図５において、ポリゴンミラー（回転多面鏡）からなる光偏向器１は上下２段に形成された偏向反射面を有している。光偏向器１の右側において、図示されない２つの光源部から放射された２つの光束は、２段の偏向反射面によりそれぞれ偏向反射され、上下に一体成形された第１走査レンズ２，３を透過しそれぞれミラーにより光路を折り曲げられてそれぞれ第２走査レンズ６，７を透過し、被走査面である感光体２０，２１の表面に至るように構成されている。光偏向器１を挟んで左側の光学系についても同様であり、符号４，５は第１走査レンズ、符号８，９は第２走査レンズ、符号２２，２３は被走査面を有する感光体をそれぞれ示している。第１走査レンズ２，３は上下（副走査方向）に重ねて一体化され、他方の第１走査レンズ４，５も上下（副走査方向）に重ねて一体化されている。これに対して第２走査レンズ６，７，８，９は個別に配置されている。
【０００６】
図５に示す従来例における走査レンズは、第１走査レンズと第２走査レンズの２枚を一組として構成されている。第１走査レンズ２，３がそれぞれ主走査方向において非対称形状ではない（対称形である）とすれば、第１走査レンズ２，３の副走査方向の基準面は、図１における下面のみでよく、ハウジングの底面１００に配置可能である。同様に光偏向器１の反対側（左側）の光学系においても、一体に構成された第１走査レンズ４，５の副走査方向の基準面は下面とすることができ、ハウジングの底面１０１に配置可能である。ちなみに、走査レンズ２、３と走査レンズ４，５は同じ形状の第１走査レンズである。しかしながら、近年、高画質の画像形成が求められるようになるにしたがい、被走査面におけるビームスポット径の小径化が求められ、これを達成するために、主走査方向に非対称な形状を持つ走査レンズが用いられるようになってきた。主走査方向に非対称の走査レンズを用いるに当たっては、副走査方向の一方側を基準面としてこの面をハウジングに固定するようにしている。
【０００７】
しかし、上記副走査方向の基準面が副走査方向の一方にしかないとすると、光偏向器１の右側の第１走査レンズと左側の走査レンズとでは副走査方向の向きが互いに逆向きとなる。したがって、図２に示すように、光偏向器１の右側の第１走査レンズ２，３の基準面１００に対して光偏向器１の左側の第１走査レンズ４，５については、基準面２０１を上側に設けてハウジングの天井面に固定する必要がある。同様に、右側の第２走査レンズ６，７においても、主走査方向に非対称形状でありかつ基準面が副走査方向の一方にしかないとすると、左側の第２走査レンズ８，９に関してはその基準面を上記右側の第２走査レンズ６，７の基準面とは逆にする必要がある。より具体的には、右側の第２走査レンズ６，７の基準面１０２，１０３は左斜め下向きであるのに対し、左側の第２走査レンズ８，９の基準面２０４，２０５は右斜め下向きになり、ハウジング側の基準面を右側と左側とでは逆にする必要がある。その結果、ハウジング内での光学素子のレイアウトが複雑になり、また、ハウジングそのものの形状が複雑化して強度が弱くなるという問題がある。
【０００８】
また、複数の光源部から光偏向器１に入射する光束相互に角度がある場合、サグの影響を軽減するために、光偏向器１を境にして一方側の第２走査レンズを互いに光軸周りに１８０度回転させて配置することが望ましい。しかし、このような配置にすると、第２走査レンズの基準面の設定が複雑になる。この問題を、図７、図８を参照しながら具体的に説明する。図７において、光偏向器１を境にして右側に二つの半導体レーザなどからなる光源３００，４００があり、これらの光源から放射された光束は、カップリングレンズ４０１，４０２を透過してほぼ平行光束とされ、シリンドリカルレンズ３０２，４０２を透過することによって、光偏向器１の偏向反射面近傍に主走査方向に長い線像が結ばれる。上記二つの光束は、主走査平面において互いに開き角度θをもって光偏向器１に入射する。光偏向器１を境にして左側の光学配置も同様であり、二つの光源５００，６００からの光束がそれぞれカップリングレンズ５０１，６０１、シリンドリカルレンズ５０２，６０２を透過し、光偏向器１の偏向反射面近傍に主走査方向に長い線像が結ばれる。上記二つの光束は、主走査平面において互いに開き角度θをもって光偏向器１に入射する。光偏向器１で偏向反射されたあとの光束は、すでに説明したとおり、第１、第２走査レンズを透過し、被走査面に光スポットが結ばれ、被走査面上を光走査する。
【０００９】
上記のように、二つの光束が互いに角度θを持って光偏向器１に入射する場合、一方の光束と他方の光束とでは、光偏向器１のサグの影響が異なってくる。サグによって受ける影響の差を軽減するためには、図８に示すように、右側の光学系において、一つの第２走査レンズ７に対して他の第２走査レンズ６を光軸回りに１８０度回転して配置することが有効である。しかしながら、第２走査レンズに関しても、基準面が副走査方向の一方の面にしかないとすると、図８に示すように、第２走査レンズ６，７相互で、それぞれの基準面２０２，１０３が逆向きになり、ハウジング側の基準面の取り方が複雑になる。光偏向器１を挟んで左側の光学系に関しても同様で、第２走査レンズ８，９の基準面が副走査方向の一方の面にしかないとすると、第２走査レンズ８，９相互で、それぞれの基準面１０５，２０４が逆向きになり、ハウジング側の基準面の取り方が複雑になる。
【発明の開示】
【発明が解決しようとする課題】
【００１０】
本発明は、上記従来技術の問題点に鑑みてなされたもので、走査レンズが副走査方向の両側に基準面を持つことで、ハウジング内における走査レンズのレイアウトを容易にし、またハウジングの強度を高く保つことができる光走査装置を提供することを目的とする。
本発明はまた、上記光走査装置を用いることによって、高画質の画像を得ることができる画像形成装置を提供することを目的とする。
【課題を解決するための手段】
【００１１】
本発明にかかる光走査装置は、請求項１に記載されているように、複数の光源と、この複数の光源から出射された光束を後続の光学系にカップリングするカップリング光学系と、このカップリング光学系からの光束を主走査方向に長い線像に変える線像光学系と、共通の回転軸を中心に回転する偏向反射面を有しこの偏光反射面が回転することによって上記線像光学系から出射した複数の光束を偏向する偏向手段と、この偏向手段により偏向された複数の光束を異なる被走査面上に導く複数の走査光学系と、を有し、上記走査光学系は２枚以上の走査レンズにより構成され、上記走査レンズの少なくとも２枚はそれぞれ少なくとも１面の副走査方向の曲率が光軸から主走査方向の両周辺に向かうに従い非対称的に変化しており、上記少なくとも２枚の走査レンズはそれぞれ副走査方向の位置決め基準を両側に有していることを最も主要な特徴とする。
【００１２】
請求項２記載の発明は、請求項１記載の光走査装置において、偏向手段に向かい、互いに異なる被走査面に導かれる複数の光束は、偏向手段の偏向回転面内において開き角を有し、異なる被走査面に対応する走査レンズのうち少なくとも１枚の走査レンズは、他の走査レンズとの関係において光軸に対し互いに１８０度反転して配備されていることを特徴とする。
請求項３記載の発明は、請求項１または２記載の光走査装置において、偏向手段に近い方の走査レンズは副走査方向の両側に基準面を有し、この両側の基準面は、光軸からの距離が互いに異なることを特徴とする。
請求項４記載の発明は、請求項３記載の光走査装置において、偏向手段に近い方の走査レンズであって互いに異なる被走査面に対応する走査レンズは、副走査方向に重ねて配置されていることを特徴とする。
請求項５記載の発明は、請求項４記載の光走査装置において、偏向手段に近い方の走査レンズであって互いに異なる被走査面に対応する走査レンズは、副走査方向に重ねて接着固定されていることを特徴とする。
請求項６記載の発明は、請求項３記載の光走査装置において、偏向手段に近い方の走査レンズの副走査方向の一方の基準面は凸状であることを特徴とする。
請求項７記載の発明は、請求項６記載の光走査装置において、偏向手段に近い方の走査レンズの副走査方向の一方の基準面は複数の突起から作られる面であることを特徴とする。
【００１３】
請求項８記載の発明は、電子写真プロセスを実行することによって画像を形成する画像形成装置であって、電子写真プロセス中の露光プロセスを実行する装置として請求項１乃至７のいずれかに記載の光走査装置を用いたことを特徴とする。
【発明の効果】
【００１４】
請求項１および２記載の発明によれば、走査レンズの副走査方向の基準面を両端に持つことで、ハウジング内での走査レンズのレイアウトを容易にし、また、ハウジングの複雑化を避けることができるため、ハウジングの強度を高く保つことができる。
請求項３、６および７記載の発明によれば、偏向手段に近い方の走査レンズの副走査方向両側に基準面を設け、この両側の基準面は光軸からの距離を互いに異ならせたので、複数の範囲指定部のみについて高い精度を要求すればよく、全面を基準面にする場合に比べて成形を容易にすることができる。
請求項４および５記載の発明によれば、偏向手段に近い方の複数の走査レンズは、これを副走査方向に重ねて配置することで、ハウジング内における走査レンズのレイアウトをコンパクトにすることができる。また、複数のレンズを一体成形で作ると、有効範囲が広がるため面精度が劣化しやすいという難点があるが、個別の走査レンズを重ねることにより、一体成形で作るよりも面精度の高精度化を図ることができる。また、複数の走査レンズを重ねる手段としては、重ねた走査レンズを互いに動くことができないように板バネ等で押さえることもできるが、接着により重ねて一体化することで、部品点数の削減を図ることができる。
【００１５】
請求項８記載の発明によれば、上記請求項１から７のいずれかに記載されている光走査装置を用いることにより、それぞれの請求項記載の光走査装置によって得られる効果を奏する画像形成装置を提供することができる。
【発明を実施するための最良の形態】
【００１６】
以下、本発明にかかる光走査装置および画像形成装置の実施例を、図１ないし図４を参照しながら説明する。なお、前述の図５ないし図８に示す従来例の構成と同じ構成部分には同じ符号を付した。
【００１７】
図１において、符号１は、偏向手段を示している。この実施例では、偏向手段１は周囲に複数の偏向反射面が多角形状に形成されてなるポリゴンミラーからなり、また、ポリゴンミラーが上下２段に形成されている。偏向手段１は図示されないモータによって高速度で回転駆動され、複数の偏向反射面が共通の回転軸を中心として、また、上下２段の偏向反射面が上記共通の回転軸を中心として回転するようになっている。偏向手段１の上下２段の偏向反射面には、図７について説明したように、それぞれ２つの光源からの光束が、カップリング光学系とシリンドリカルレンズなどからなる線像光学系を透過したあと入射するようになっている。カップリング光学系は、光源からの発散光を平行光束またはこれに近い発散光あるいは収束光にして後続の光学系にカップリングする。上記線像光学系は、カップリング光学系からの光束を副走査方向にのみ収束させて、主走査方向に長い線像に変える。この線像は変更手段１の変更反射面近傍に結ばれる。
【００１８】
偏向手段１を挟んで左右両側に配置されたそれぞれ２つの光源からの光束は、図７について説明したように、主走査面に対応する方向から見て互いに開き角度θをもって偏向手段１の偏向反射面に入射するようになっている。偏向反射面に入射した各光束は、偏向手段１が回転駆動されることによりその偏向反射面で等角速度的に偏向反射される。偏向反射された各光束は、図１に示すように、第１走査レンズ５０，５１，５２，５３をそれぞれ透過し、ミラーで光路が変えられ、第２走査レンズ５４，５５，５６，６７を透過し、さらにミラーで光路が変えられ、被走査面であるドラム状感光体２０，２１，２２，２３の表面に導かれるように構成されている。第１走査レンズ５１と第２走査レンズ５５がペアとなって感光体２０に対応し、第１走査レンズ５０と第２走査レンズ５４がペアとなって感光体２１に対応し、第１走査レンズ５２と第２走査レンズ５６がペアとなって感光体２２に対応し、第１走査レンズ５３と第２走査レンズ５７がペアとなって感光体２３に対応している。
【００１９】
図７に示す例では、各被走査面に向かう光束は、それぞれ一つの光源から発した光束になっているが、例えば、光源３００，４００，５００，６００がそれぞれ複数の発光源を持つ半導体レーザアレイであってもよいし、複数の光源を合成した構成で各被走査面に複数の光束を導くようにしてもよい。
【００２０】
前述のようにそれぞれペアをなす第１走査レンズと第２走査レンズは、偏向手段１で偏向反射された光束を各感光体表面に収束させて光スポットを形成する結像光学系としての機能と、等角速度的に偏向される光束を感光体表面上で等速度的に走査させるｆθ機能を有している。精度の高い光走査を行って高画質の画像を得るためには、上記結像機能とｆθ機能を精度よく全うさせる必要がある。しかし、ペアをなす第１走査レンズと第２走査レンズが光軸に対して対称形になっていては上記の機能を全うすることができない。そこで、それぞれ少なくとも１面の副走査方向の曲率が光軸から主走査方向の両周辺に向かうに従い非対称的に変化した形に形成されている。そして、偏向手段１を挟んで右側の第１走査レンズ５０，５１の副走査方向（上下方向）の向きに対して、左側の第１走査レンズ５２，５３の副走査方向（上下方向）の向きは逆向きになっている。換言すれば、異なる被走査面に対応する走査レンズのうち少なくとも１枚の走査レンズは、他の走査レンズとの関係において光軸に対し互いに１８０度反転して配備されている。
【００２１】
上記のような非対称形の走査レンズを光走査装置のハウジングに装着するに当たり、走査レンズを所定の向きにして精度よく所定の位置に固定しなければ、高画質の画像を得ることはできない。そこで、本発明では、非対称形に形成された上記少なくとも２枚の走査レンズにそれぞれ副走査方向の位置決め基準を副走査方向両側に設け、これを基準にして走査レンズの向きとハウジングへの位置決めを行うように構成されている。次に、この位置決め基準について具体的に説明する。
【００２２】
図１ないし図３において、偏向手段１を挟んで一方側の光走査装置を構成する第１走査レンズ５０，５１の副走査方向の一面側（図示の例では下面側）には３つの突起６０が一体に形成され、これらの３つの突起６０の先端面が基準面となっている。上記二つの第１走査レンズ５０，５１は副走査方向に重ねて配置され、一方の走査レンズ５１の下に位置する走査レンズ５１の上面は、図３に符号６１で示すように、上側の走査レンズ５０の上記突起６０が当接する範囲が位置決め基準になっている。このように、各走査レンズは、副走査方向の両面に位置決め基準面を有していることになる。そして、３つの突起６０の端面と、この三つの突起６０が当接する相手の面のうち突起６０を受ける平面のみを基準面としている。下側の走査レンズ５１はその突起６０がハウジングの位置決め基準面１００に当接して位置決めされている。このように基準面の範囲を限定することで、走査レンズの副走査方向全面を基準面にする場合に比べて、精度を出すべき範囲が限定され、成形を容易にすることができる。
【００２３】
上記二つの第１走査レンズ５０，５１は、必要に応じてその場で、すなわち上下の位置を変えることなくそれぞれの光軸Ｏを回転中心として１８０度回転させて配置することもでき、この場合は、下側の走査レンズの突起が上側の走査レンズの下面に当接することになる。しかしながら、第１走査レンズ５０，５１の副走査方向の一面側の位置決め基準面が突起６０の端面、他の一面側の基準面が他の一面内の限られた範囲６１とすると、突起６０を除いた走査レンズ本体の副走査方向の中心が光軸であるとすると、光軸を中心にして走査レンズを１８０度反転させたとき、基準面の位置が上下にずれることになる。そこで、図２（ｂ）に示すように、走査レンズの光軸Ｏを、その本体部分の副走査方向中心からずらし、光軸Ｏを中心に１８０度反転させても上下の基準面がずれないように、光軸Ｏから一方の基準面までの副走査方向の距離ａと、光軸Ｏから他方の基準面までの副走査方向の距離ｂを互いに異ならせている。
【００２４】
偏向手段１を挟んで反対側に配置されている第１走査レンズ５２，５３についても同様で、第１走査レンズ５２，５３の副走査方向の一面側（図示の例では上面側）には３つの突起６２が一体に形成され、これらの３つの突起６２の先端面が基準面となっている。第１走査レンズ５２，５３は突起６０が上向きになるように重ねて配置されている。したがって、下側の走査レンズ５３の突起６０が上側の走査レンズ５２の下面に当接して位置決めされている。下側の走査レンズ５３の下面は、ハウジングの底面に形成された位置決め基準面１０１に当接して位置決めされている。なお、このように配置される走査レンズ５３の下面には突起６０が形成されていないので、走査レンズ５３の下面を受けるハウジングの底面に突起を形成し、この突起の上端面を基準面１０１として、走査レンズ５３の下面を限られた面積の基準面１０１で受けるように構成されている。こうすることによって、限られた範囲を集中的に高精度に仕上げればよいので、走査レンズの成形が容易になる。
【００２５】
また、被走査面に近い方の走査レンズ、すなわち図１の実施例では第２走査レンズ５４〜５７についても、副走査方向の両面に基準面を設ける。こうすることで、ハウジングへの第２走査レンズのレイアウトを容易にし、走査レンズを位置決めするための基準面の構造も単純化され、ハウジング強度を高く保つことができる。第２走査レンズ５４〜５７についても副走査方向の基準面を副走査方向の面全面にすると全面につき高精度に仕上げなければならず、成形が困難になるので、図４に第２走査レンズ５４の例で示すように、第２走査レンズ５４の、例えば３カ所に範囲指定してこの範囲７０を位置決め基準とすると精度を出しやすくなる。
【００２６】
以上説明した光走査装置は、これを複写機、プリンターなどの画像形成装置に適用することができる。例えば、図１において、各感光体２０〜２３の周囲に、電子写真プロセスを実行する装置を配置する。すなわち、感光体を均一に帯電する帯電装置、帯電した感光体に画像を書き込む露光装置、露光によって静電潜像が形成された感光体をトナーによって現像する現像装置、トナー像を転写媒体である転写紙に転写する転写装置、転写されたトナー像を定着する定着装置、感光体の残留トナーを除去するクリーニング装置を配置する。前述の光走査装置は上記露光装置を構成している。光走査装置は画像信号に従って感光体に画像を書き込み、書き込まれた画像は上記転写紙に転写され、定着されて出力される。
【００２７】
図１に示す光走査装置は、４つの感光体２０〜２３に対応して４つ設けられて、タンデム型の画像形成装置を構成することができるようになっている。各光走査装置ではそれぞれの色成分の画像をそれに対応する感光体に書き込み、各感光体において形成された対応する色のトナー画像は転写紙に重ねて転写され、転写紙にカラー画像が形成される。
【００２８】
図示の実施例において、偏向手段１を挟んで一方側に重ねて配置された第１走査レンズ５０，５１と、他方側に重ねて配置された第１走査レンズ５２，５３は、例えば、プラスチックを素材として個別に成形することができる。これらの走査レンズを光走査装置のハウジングに組み込んだ状態では、上記第１走査レンズ５０，５１は接着によって一体化し、第１走査レンズ５２，５３も接着によって一体化するとよい。
【００２９】
図示の実施例では個々の光走査光学系を構成する走査レンズが、第１走査レンズと第２走査レンズの２枚構成となっていたが、走査レンズは２枚以上で構成してもよく、走査レンズの少なくとも２枚はそれぞれ少なくとも１面の副走査方向の曲率が光軸から主走査方向の両周辺に向かうに従い非対称的に変化しており、上記少なくとも２枚の走査レンズはそれぞれ副走査方向の位置決め基準を両側に有していればよい。
【図面の簡単な説明】
【００３０】
【図１】本発明にかかる光走査装置の実施例を副走査対応方向から見た側面図である。
【図２】上記実施例中の第１走査レンズを示す（ａ）は正面図、（ｂ）は側面図である。
【図３】上記第１走査レンズの平面図である。
【図４】上記実施例中の第２走査レンズを示す斜視図である。
【図５】従来の光走査装置の例を副走査対応方向から見た側面図である。
【図６】従来の光走査装置の別の例を副走査対応方向から見た側面図である。
【図７】一般的な光走査装置の例を主走査対応方向から見た平面図である。
【図８】従来の光走査装置のさらに別の例を副走査対応方向から見た側面図である。
【符号の説明】
【００３１】
１    偏向手段
２０    感光体
２１    感光体
２２    感光体
２３    感光体
５０    第１走査レンズ
５１    第１走査レンズ
５２    第１走査レンズ
５３    第１走査レンズ
６０    位置決め基準
６２    位置決め基準
５４    第２走査レンズ
５５    第２走査レンズ
５６    第２走査レンズ
５７    第２走査レンズ
【図１】
2006154097.tif 000003
【図２】
2006154097.tif 000004
【図３】
2006154097.tif 000005
【図４】
2006154097.tif 000006
【図５】
2006154097.tif 000007
【図６】
2006154097.tif 000008
【図７】
2006154097.tif 000009
【図８】
2006154097.tif 000010